(57)【要約】【課題】写真プリント装置において、１列状態のままで印画紙を搬送し、且つ、複数のサイズのロール幅の印画紙を切換えて使用する場合においても、写真プリントの汚損を可及的に抑制する。【解決手段】印画紙２に画像を露光形成する露光装置ＥＸと、現像処理装置２３と、印画紙マガジン８を装填するためのマガジン装填部ＭＳと、印画紙搬送手段ＰＴとが設けられた写真プリント装置において、印画紙搬送手段ＰＴは、前記印画紙マガジン８から引き出された印画紙２を、前記露光箇所及び前記現像処理装置２３を経由する搬送経路の全てにおいて、１列状態で搬送するように構成され、前記サイズが小さい印画紙２を搬送する状態から前記サイズが大きい印画紙２を搬送する状態に切換えられたときに、前記サイズが大きい印画紙２における搬送方向で先端側から設定長さの領域を、搬送ローラ３５のクリーニングのために使用する。【選択図】図１
2005047691.tif 000002
【特許請求の範囲】
【請求項１】
印画紙に画像を露光形成する露光装置と、その露光装置にて露光された印画紙を現像処理する現像処理装置と、印画紙をロール状に収納する印画紙マガジンを装填するためのマガジン装填部と、そのマガジン装填部に装填された前記印画紙マガジンから引き出された印画紙を、前記露光装置による露光箇所及び前記現像処理装置を経由して搬送する印画紙搬送手段とが設けられた写真プリント装置であって、
前記印画紙搬送手段は、前記印画紙マガジンから引き出された印画紙を、前記露光箇所及び前記現像処理装置を経由する搬送経路の全てにおいて、１列状態で搬送するように構成され、
前記印画紙搬送手段による搬送状態が、搬送横幅方向のサイズが小さい印画紙を搬送する状態から前記サイズが大きい印画紙を搬送する状態に切換えられたときに、前記サイズが大きい印画紙における搬送方向で先端側から設定長さの領域を、前記印画紙搬送手段に備えられた搬送ローラのクリーニングのためのクリーニング領域に設定して、前記印画紙搬送手段にて搬送できるように構成されている写真プリント装置。
【請求項２】
前記印画紙搬送手段による搬送状態が、前記サイズが小さい印画紙を搬送する状態から前記サイズが大きい印画紙を搬送する状態に切換えられたときに、前記サイズが大きい印画紙における搬送方向先端側から設定長さの領域を、前記印画紙搬送手段に備えられた搬送ローラのクリーニングのためのクリーニング領域に設定して、前記印画紙搬送手段にて搬送させるクリーニング制御装置が設けられている請求項１記載の写真プリント装置。
【請求項３】
前記印画紙搬送手段の搬送経路における前記露光装置の露光箇所よりも搬送方向上流側に、長尺の印画紙を設定プリントサイズに切断するカッタが設けられている請求項１又は２記載の写真プリント装置。
【発明の詳細な説明】
【技術分野】
【０００１】
本発明は、印画紙に画像を露光形成する露光装置と、その露光装置にて露光された印画紙を現像処理する現像処理装置と、印画紙をロール状に収納する印画紙マガジンを装填するためのマガジン装填部と、そのマガジン装填部に装填された前記印画紙マガジンから引き出された印画紙を、前記露光装置による露光箇所及び前記現像処理装置を経由して搬送する印画紙搬送手段とが設けられた写真プリント装置に関する。
【背景技術】
【０００２】
かかる写真プリント装置は、印画紙マガジンから引き出した印画紙を印画紙搬送手段にて搬送して、その印画紙に対して露光装置にて画像を露光形成し、その露光によって潜像として画像が形成された印画紙を現像処理装置にて現像処理して、写真プリントとして仕上げる装置である。
このように現像処理装置を備えた写真プリント装置では、下記特許文献１に記載されているように、現像処理するための現像処理液中の化学物質が変質する等して印画紙搬送手段の搬送ローラに析出し、搬送ローラに汚れとして付着する現象が知られている。
このように搬送ローラに付着した汚れは、搬送される印画紙に移って写真プリントを汚損してしまう原因となる。
【０００３】
従って、下記特許文献１に記載のように印画紙の搬送列を複数列に振り分ける振り分け装置が備えられている場合には、搬送列を振り分ける状態と振り分けずにそのまま搬送する状態とに適宜に切換えるという操作を自動的に行って搬送ローラに汚れが付着するのを防止したり、あるいは、汚れが付着してしまった場合には、操作者の判断で前記切換え操作を指示することによって付着した汚れを印画紙にてクリーニングするという技術が考えられている。
【０００４】
一方、写真プリント装置には、装置の低コスト化等の観点から、下記特許文献１に記載のような搬送列の振り分け装置を備えずに、印画紙を１列状態で搬送する形式のものも存在する。
このような印画紙を１列で搬送する形式の写真プリント装置では、通常、搬送横幅方向のサイズ（以下において、単に「ロール幅」という場合がある）が単一サイズの印画紙ロールを使用することを想定しており、このような使用状態では、上述のような搬送ローラに付着した汚れはそれほど問題とはならないものであった。
【特許文献１】特開平７−２８７３７８号公報
【発明の開示】
【発明が解決しようとする課題】
【０００５】
しかしながら、近年、前記振り分け装置を備えずに印画紙を１列状態で搬送する形式の写真プリント装置においても、作製頻度の高い比較的小サイズの写真プリントの作製のみならず、使用頻度はそれほど大きくないものの、より大きいロール幅の印画紙も使用可能として、より大きいプリントサイズの写真プリントの作製にも対応できるようにしたいという要請が強くなった。
ところが、搬送列が１列状態であるために、ロール幅の小さい印画紙を継続的に使用すると、その搬送幅の外側で搬送ローラに汚れが付着し、その後にロール幅の大きい印画紙を使用すると、そのロール幅の大きい印画紙に搬送ローラの汚れが移って、写真プリントを汚損してしまうという不都合が発生した。
本発明は、かかる実情に鑑みてなされたものであって、その目的は、１列状態のままで印画紙を搬送し、且つ、複数のサイズのロール幅の印画紙を切換えて使用する場合においても、写真プリントの汚損を可及的に抑制する点にある。
【課題を解決するための手段】
【０００６】
本出願の第１の発明は、印画紙に画像を露光形成する露光装置と、その露光装置にて露光された印画紙を現像処理する現像処理装置と、印画紙をロール状に収納する印画紙マガジンを装填するためのマガジン装填部と、そのマガジン装填部に装填された前記印画紙マガジンから引き出された印画紙を、前記露光装置による露光箇所及び前記現像処理装置を経由して搬送する印画紙搬送手段とが設けられた写真プリント装置において、前記印画紙搬送手段は、前記印画紙マガジンから引き出された印画紙を、前記露光箇所及び前記現像処理装置を経由する搬送経路の全てにおいて、１列状態で搬送するように構成され、前記印画紙搬送手段による搬送状態が、搬送横幅方向のサイズが小さい印画紙を搬送する状態から前記サイズが大きい印画紙を搬送する状態に切換えられたときに、前記サイズが大きい印画紙における搬送方向で先端側から設定長さの領域を、前記印画紙搬送手段に備えられた搬送ローラのクリーニングのためのクリーニング領域に設定して、前記印画紙搬送手段にて搬送できるように構成されている。
【０００７】
すなわち、搬送横幅方向のサイズ（すなわちロール幅）の小さい印画紙で継続して写真プリントを作製している状態で、搬送する印画紙がロール幅の大きい印画紙に切換えられたときに、そのロール幅の大きい印画紙の先端部分を顧客からの依頼による通常の写真プリントの作製には使用せずに、前記クリーニング領域と設定して印画紙搬送手段の搬送経路を搬送するのである。
このクリーニング領域の印画紙が搬送されることによって、搬送ローラにおけるロール幅の小さい印画紙の搬送幅の外側に付着した汚れが、ロール幅の大きい印画紙に移って除去されるのである。
印画紙の先端部分を実際の写真プリントの作製に使用せずに送り出す処理操作は、未使用の印画紙ロールの先端形状がぎざぎざのいびつな形状となっているために印画紙の先端部分の形状をきれいな直角に整える等の理由によって従来から行われており、この処理操作を上記クリーニングのために流用することができる。
但し、搬送ローラのクリーニング処理を確実に行うために、前記クリーニング領域の搬送方向での長さは、印画紙の先端部分の形状を切り整えるための長さより長くする。
【０００８】
又、本出願の第２の発明は、前記印画紙搬送手段による搬送状態が、前記サイズが小さい印画紙を搬送する状態から前記サイズが大きい印画紙を搬送する状態に切換えられたときに、前記サイズが大きい印画紙における搬送方向先端側から設定長さの領域を、前記印画紙搬送手段に備えられた搬送ローラのクリーニングのためのクリーニング領域に設定して、前記印画紙搬送手段にて搬送させるクリーニング制御装置が設けられている。
すなわち、上述の印画紙の先端部分の形状を切り整えるための処理操作は、通常、その処理操作を実行するか否かの最終的な判断を写真プリント装置の操作者に委ねるように設計している。
【０００９】
これは、写真プリント装置の制御装置側では、印画紙の先端部分を切り整える必要のある未使用の印画紙ロールか、あるいは、過去に既に使用が開始されて先端部分の形状が切り整えられている印画紙ロールかを正確に特定できないためである。
本発明にこの処理操作をそのまま流用して、搬送ローラのクリーニングを行う際にも操作者に実行の要否を問い合わせるようにしても良いのであるが、前記印画紙搬送手段による搬送状態が、前記サイズが小さい印画紙を搬送する状態から前記サイズが大きい印画紙を搬送する状態に切換えられたときに、クリーニング制御装置が操作者の意思に拘わらず強制的に印画紙の先端部分の設定長を顧客からの依頼による写真プリントには使用しないように設定する。
これによって、操作者にとっては、使用する印画紙ロールの幅が小サイズから大サイズに切換えられたときには、印画紙ロールが未使用のものであるか否かや、搬送ローラがクリーニングをすべき状況にあるか否かを一切考慮する必要がなくなる。
【００１０】
又、本出願の第３の発明は、前記印画紙搬送手段の搬送経路における前記露光装置の露光箇所よりも搬送方向上流側に、長尺の印画紙を設定プリントサイズに切断するカッタが設けられている。
長尺の印画紙を所定のプリントサイズに切断するタイミングとしては、印画紙に画像を露光形成し、更に、現像処理した後に切断する形式と、所定のプリントサイズに切断した後に、画像を露光形成し、更に、現像処理する形式とがある。
前者は、主にプリント処理能力が極めて高能力の装置に適用され、印画紙を長尺のまま搬送するので、搬送ローラ間の間隔を広くすることができ、これに伴って、搬送ローラの数が少なくなって、搬送ローラから印画紙に汚れが移る割合も小さくなる。
これに対して、後者は、短尺の印画紙を搬送するため、搬送ローラの数が多くなり、搬送ローラから印画紙に汚れが移る割合も大となる。
【発明の効果】
【００１１】
上記第１の発明によれば、ロール幅の大きい印画紙の先端部分を利用して、搬送ローラをクリーニングできるので、単一の搬送列で印画紙を搬送し、且つ、複数のサイズのロール幅の印画紙を切換えて使用する場合においても、写真プリントの汚損を可及的に抑制できるに至った。
しかも、印画紙の先端部分を切り整えるための処理を流用することで、制御構成の複雑化を回避することができる。
【００１２】
又、上記第２の発明によれば、使用する印画紙ロールの幅が小サイズから大サイズに切換えられたときには、操作者が、印画紙ロールが未使用のものであるか否かや、搬送ローラがクリーニングをすべき状況にあるか否かを一切考慮する必要がなくなり、装置の管理負担を軽減することができる。
又、上記第３の発明によれば、搬送ローラの数が必然的に多くなり、搬送ローラの汚れが問題となり易い搬送形式の写真プリント装置において、上述のようにロール幅の大きい印画紙の先端部分を利用して搬送ローラのクリーニングを行うことが特に好適である。
【発明を実施するための最良の形態】
【００１３】
以下、本発明の写真プリント装置の実施の形態を図面に基づいて説明する。
本実施の形態で例示する写真プリント装置ＤＰは、いわゆるデジタルミニラボと称されるシステムを構成するものであり、図１の概略ブロック図及び図２の外観斜視図に示すように、現像処理済みの写真フィルムの駒画像を読み取るフィルムスキャナＦＳと、フィルムスキャナＦＳにて読み取った駒画像を印画紙２に露光し且つ現像処理する露光・現像装置ＥＰとから構成されている。
【００１４】
〔フィルムスキャナＦＳの概略構成〕
フィルムスキャナＦＳは、露光・現像装置ＥＰが固定設置されるのに対して、キャスターＣＴを備えて容易に搬送移動できるように構成されている。
図示を省略するが、フィルムスキャナＦＳの筐体内には、ＣＣＤラインセンサユニットやレンズ等が備えられ、着脱自在のフィルムマスクユニット３にセットされた写真フィルムの駒画像をレンズにてＣＣＤラインセンサユニットの受光面上に結像させて、写真フィルムの駒画像を取り込む。
【００１５】
〔露光・現像装置ＥＰの全体構成〕
露光・現像装置ＥＰは、図１及び図２に示すように、フィルムスキャナＦＳとは別体で構成されており、筐体内部には、印画紙２に画像を露光形成する露光ヘッド２１及び露光ヘッド２１を制御する露光制御装置２２により構成される露光装置ＥＸと、露光ヘッド２１にて露光された印画紙２を現像処理する現像処理装置２３と、現像処理装置２３にて現像処理された印画紙２を乾燥する乾燥装置２４と、印画紙２をロール状に収納する印画紙マガジン８を装填するマガジン装填部ＭＳと、印画紙マガジン８から引き出された印画紙２を露光ヘッド２１による露光箇所及び現像処理装置２３を経てへ搬送する印画紙搬送手段ＰＴと、印画紙搬送手段ＰＴの搬送経路における露光装置ＥＸの露光箇所よりも搬送方向上流側に配置されて長尺の印画紙を設定プリントサイズに切断するためのカッタ２８とが設けられ、筐体外部には、現像処理装置２３にて現像された印画紙２をオーダ毎に一時的に保存するための一時保存用コンベア２５と、乾燥装置２４から排出された印画紙２を一時保存用コンベア２５へ搬送する排出コンベア２６とが設けられ、更に、これら各部を制御する主制御装置２７が筐体内に設けられている。
露光ヘッド２１は、画像データに基づいて強度変調されたレーザビームを印画紙２の搬送方向（副走査方向）と略直交する主走査方向で繰り返し走査し、前記主走査方向に延びるライン状の露光を繰り返して、搬送駆動される印画紙２上に画像を露光形成するように構成されてる。
【００１６】
主制御装置２７には、写真プリントのシミュレート画像や各種の制御情報を表示するためのモニタ２７ａと、操作者が露光条件の補正量その他の情報を指示入力するための操作卓２７ｂと、ＭＯドライブ装置やＣＤ−Ｒドライブ装置等の外部入出力装置２７ｃとが接続されている。外部入出力装置２７ｃを備えることによって、フィルムスキャナＦＳから入力された写真フィルムの画像データ以外に、ＣＤ−Ｒメディア等の各種の記録媒体に記録された画像データによって写真プリントを作製することができると共に、フィルムスキャナＦＳにて読み取った画像データをそれらの記録媒体に記録保存することができる。
【００１７】
〔印画紙搬送手段ＰＴの構成〕
印画紙搬送手段ＰＴには、図１に概略的に示すように、印画紙マガジン８から印画紙２を引き出してカッタ２８の位置まで搬送駆動する引出搬送用の搬送ローラ３１と、カッタ２８にて設定サイズに切断された印画紙２を露光装置ＥＸによる露光箇所（すなわち、露光ヘッド２１による露光箇所）へ送り込む中継用の搬送ローラ３２と、露光装置ＥＸによる露光箇所において印画紙２を搬送する露光用の搬送ローラ３３と、画像が露光形成された印画紙２を現像処理装置２３へ送り込むための中継用の搬送ローラ３４と、現像処理装置２３内において印画紙を搬送する多数の現像用の搬送ローラ３５と、現像処理装置２３にて現像処理された印画紙２を乾燥装置２４において搬送するための乾燥用の搬送ローラ３６と、これらの搬送ローラ３１，３２，３３，３４，３５，３６を回転駆動する複数のモータ（図示を省略）と、それらのモータを制御して各搬送ローラ３１，３２，３３，３４，３５，３６の作動を制御する搬送制御装置３７とが備えられている。
【００１８】
マガジン装填部ＭＳは、複数の印画紙マガジン８を装填可能に構成され、本実施の形態では、２つの印画紙マガジン８を装填可能としている場合を例示している。印画紙搬送手段ＰＴは、この２つの印画紙マガジン８のいずれか１つから引き出された印画紙を搬送し、夫々の印画紙マガジン８からの引き出された印画紙２の搬送横幅方向の中心が一致するように搬送経路が合流している。
この搬送経路の合流の後、印画紙搬送手段ＰＴは、前記露光箇所及び現像処理装置２３を経由する搬送経路の全てにおいて、１列状態で印画紙２を搬送する。
２つの印画紙マガジン８は、搬送横幅方向のサイズすなわちロール幅の異なる印画紙ロールを収納している場合が多く、マガジン装填部ＭＳに、収納している印画紙２の搬送横幅方向のサイズが異なる複数の印画紙マガジン８を装填している場合において、複数の操作卓２７ｂから指示入力される写真プリントのプリントサイズの情報に基づいて、いずれの印画紙マガジン８の印画紙を使用するかが自動的に選択される。
【００１９】
〔印画紙の切換え処理〕
次に、操作卓２７ｂから指示入力されるプリントサイズが変更され、それに伴って、使用する印画紙マガジン８が変更されるときの処理を図３のフローチャートに基づいて説明する。
図３の処理は、搬送制御装置３７にて実行され、搬送制御装置３７は、ある時点において、そのときに使用している印画紙マガジン８から供給している印画紙２では作製できないプリントサイズを主制御装置２７から指定されたときに、図３の処理を開始する。
【００２０】
図３の処理を開始すると、先ず、使用中の印画紙２を印画紙マガジン８内に巻き込むように、印画紙マガジン８の印画紙ロールを回転駆動しているモータ（図示を省略）に指示し（ステップ＃１）、使用する印画紙２の切換えが、搬送横幅方向のサイズが小さい印画紙２を搬送する状態から前記サイズが大きい印画紙２を搬送する状態への切換えか否かを確認する（ステップ＃２）。
搬送横幅方向のサイズが小さい印画紙２から大きい印画紙２への変更であれば、そのまま、該当の印画紙マガジン８の印画紙ロールを回転駆動するモータに指示して、印画紙２を送り出させる（ステップ＃６）。
【００２１】
送り出された長尺の印画紙２が搬送ローラ３１に搬送されて、それの先端がカッタ２８の位置から設定長さ通過したことを図示を省略するペーパセンサの検出情報等に基づいて検知すると（ステップ＃７）、カッタ２８を作動させて印画紙２を切断する（ステップ＃８）と共に、露光制御装置２２に対して、その切断した印画紙２には露光処理しないように指示して（ステップ＃９）、通常の写真プリント作製用の搬送処理に戻る。
この設定長さに切断された印画紙２は、搬送ローラ３１，３２，３３，３４，３５，３６のクリーニング用として用いられるものであり、主には現像処理装置２３の搬送ローラ３５をクリーニング対象としている。
カッタ２８にて切断されたこのクリーニング用の印画紙２は、通常の搬送制御装置３７の搬送制御によって印画紙搬送手段ＰＴの搬送経路を搬送されて、各搬送ローラ３１，３２，３３，３４，３５，３６の汚れを移し取って行き、排出コンベア２６上に排出される。
【００２２】
このクリーニング用の印画紙２の印画紙搬送方向での長さは、搬送ローラ３１，３２，３３，３４，３５，３６の汚れを取るのに十分な長さに設定され、具体的には２００ｍｍ程度で良い。
このようにクリーニング用として使用される印画紙２は、顧客から依頼された写真プリントを作製するためには使用されないという点で、印画紙２の損失ということになるのであるが、特に、使用を開始した印画紙マガジン８が未使用の印画紙ロールを収納していた状態であるときは、その印画紙２の損失は軽減されていることになる。
すなわち、未使用の印画紙ロールであるときは、その印画紙２の先端部分の形状を切り整える必要があり、このために切断する長さは、その切断部分を搬送するために、少なくとも隣接する搬送ローラ間隔のうちの最大長（通常、８０ｍｍ〜９０ｍｍ程度）を有している必要がある。このように本来的に損失となる部分をクリーニングに利用することで印画紙２の損失の軽減となるのである。
更には、未使用の印画紙ロールを使用開始する場合以外に、印画紙ロールの先端が何らかの理由により感光してしまったような場合等にも、本来的に印画紙２の損失となる部分を搬送ローラのクリーニングに利用できることになる。
以上から、搬送制御装置３７は、搬送横幅方向のサイズが小さい印画紙２を搬送する状態から前記サイズが大きい印画紙２を搬送する状態に切換えられたときに、前記サイズが大きい印画紙２における搬送方向で先端側から設定長さの領域を、印画紙搬送手段ＰＴに備えられた搬送ローラ３５のクリーニング領域に設定して、印画紙搬送手段ＰＴにて搬送させるクリーニング制御装置ＣＣとして機能する。
【００２３】
一方、図３の処理において、印画紙マガジン８の切換えが、搬送横幅方向のサイズが大きいものから小さいものへの切換えである場合には（ステップ＃２）、その小さいサイズの印画紙ロールが未使用の印画紙ロールである可能性を考慮して、モニタ２７ａに先端部分の切り落としが必要か問い合わせる表示を行い（ステップ＃３）、操作者がその必要がない旨を指示入力すれば（ステップ＃４，＃５）、図３の処理を終了して通常の搬送制御処理に戻る。
これに対して、操作卓２７ｂから、印画紙ロールの先端の切り落としを指示されたときは（ステップ＃４，＃５）、上述のクリーニングのために印画紙２を送り出した場合と同様の処理を実行する（ステップ＃６〜＃９）。但し、この時点での印画紙２の送出し（ステップ＃７）は、クリーニングの必要がないので、隣接する搬送ローラ間隔のうちの最大長（通常、８０ｍｍ〜９０ｍｍ程度）より若干長い程度だけカッタ２８の位置から下流側へ送った時点で切断する（ステップ＃８）。
【００２４】
〔露光・現像装置ＥＰの全体動作〕
次に、露光・現像装置ＥＰの全体動作について概略的に説明する。
フィルムスキャナＦＳにて写真フィルムの駒画像が読み取られて、その画像データが主制御装置２７に入力されると、主制御装置２７は、その画像データに基づいて写真プリントを作製したときに得られるであろう画像をシミュレート演算により求めてモニタ２７ａに表示する。
操作者は、モニタ２７ａに表示されたシミュレート画像を観察して、適宜露光条件の補正入力を操作卓２７ｂから行う。
主制御装置２７は、操作卓２７ｂから補正入力があると、その指示に基づいて露光条件を補正演算して露光用の画像データを生成し、その画像データを露光制御装置２２へ送る。
露光制御装置２２は、上述のような印画紙２の搬送駆動と連動して、受け取った露光用の画像データに基づいて露光ヘッド２１を駆動し、前記露光位置を搬送される印画紙２に対して潜像として画像を露光形成する。
但し、このとき、上記のように搬送制御装置３７から露光処理を行う必要のない旨の連絡を受けている印画紙２に対しては露光処理を行わない。
露光ヘッド２１にて露光処理された印画紙２は、現像処理液が満たされた現像処理装置２３の現像処理漕２３ａを順次に通過して現像処理され、更に、乾燥装置２４にて乾燥処理された後、排出口２４ａから排出コンベア２６上に排出される。
【００２５】
〔別実施形態〕
以下、本発明の別実施形態を列記する。
（１）上記実施の形態では、露光装置ＥＸとして、レーザ露光式の露光装置を例示しているが、写真フィルムの画像を印画紙上にレンズにて焼き付ける投影露光式の露光装置等、露光装置の具体構成は種々に変更可能である。
（２）上記実施の形態では、マガジン装填部ＭＳに２個の印画紙マガジン８を装填できる場合を例示しているが、３個以上の印画紙マガジン８を装填できるようにしても良い。
（３）上記実施の形態では、マガジン装填部ＭＳを露光・現像装置ＥＰの筐体内に設ける場合を例示しているが、例えば、筐体上部に印画紙マガジン８を露出させた状態で装填するようにして、筐体外にマガジン装填部ＭＳを設定しても良い。
（４）上記実施の形態では、露光装置ＥＸによる露光箇所の搬送方向上流側にカッタ２８を設ける場合を例示しているが、例えば、乾燥装置２４よりも搬送方向下流側にカッタ２８を設けて、露光並びに現像処理後に印画紙２をプリントサイズに切断する場合にも本発明を適用できる。
【００２６】
（５）上記実施の形態では、マガジン装填部ＭＳに複数の印画紙マガジン８を装填可能とする場合を例示しているが、マガジン装填部ＭＳに単一の印画紙マガジン８のみを装填できるように構成された場合においても本発明を適用できる。
すなわち、印画紙マガジン８に、収納している印画紙ロールのロール幅（すなわち、印画紙２の搬送横幅方向のサイズ）を識別できる情報をバーコードその他の形態で保持させておき、印画紙マガジン８がマガジン装填部ＭＳに装填されたときにセンサにてそのロール幅の情報を読取ることで、印画紙マガジン８を交換して、搬送横幅方向のサイズが小さい印画紙２を搬送する状態から前記サイズが大きい印画紙２を搬送する状態に切換えられたときに、前記サイズが大きい印画紙２における搬送方向で先端側から設定長さの領域を、印画紙搬送手段ＰＴに備えられた搬送ローラ３５のクリーニング領域に設定して、印画紙搬送手段ＰＴにて搬送させる制御が実現できる。
【図面の簡単な説明】
【００２７】
【図１】本発明の実施の形態にかかる写真プリント装置の概略ブロック構成図
【図２】本発明の実施の形態にかかる写真プリント装置の外観斜視図
【図３】本発明の実施の形態にかかるフローチャート
【符号の説明】
【００２８】
ＣＣ  クリーニング制御装置
ＥＸ  露光装置
ＭＳ  マガジン装填部
ＰＴ  印画紙搬送手段
２    印画紙
８    印画紙マガジン
２３  現像処理装置
２８  カッタ
３５  搬送ローラ
【図１】
2005047691.tif 000003
【図２】
2005047691.tif 000004
【図３】
2005047691.tif 000005